(57)【要約】【課題】ブラインドナットを使用し、ブラインドナットの螺子部分に過大な応力を与えないで確実な笠木支持を行うことができる手摺笠木支持装置を提供すること。【解決手段】管状笠木１に外側鍔５が外周面に沿って密着状に形成される状態でブラインドナット２が装着され、支持桿６にはその平面状上段部８から止着螺子９が立設され、止着座金１０には管状笠木の外周面に密着する曲線状先端縁１３を有すると共に外側鍔を非接触状態で内包する高さに形成された環状周縁１４が一体的に形成され、止着座金が支持桿の平面状上段部に密着すると共に止着座金における曲線状先端縁が管状笠木の外周面に密着するように止着螺子がブラインドナットの螺溝に締め付けられている手摺笠木支持装置。【選択図】図２
2005076354.tif 000002
【特許請求の範囲】
【請求項１】
管状笠木の外周面上に外側鍔が該外周面に沿って密着状に形成される状態でブラインドナットが装着され、手摺笠木支持用の支持桿にはその平面状上段部から止着螺子が立設され、該止着螺子が通過できる通孔をその平面底板に有する止着座金には該平面底板の周囲から該管状笠木の該外周面に密着する曲線状先端縁を有すると共に該支持桿が取り付けられたときに該ブラインドナットの該外側鍔を非接触状態で内包する高さに形成された環状周縁が一体に形成され、該外側鍔を内包するように該止着座金が該管状笠木に配設され、該止着座金の該平面底板が該支持桿の該平面状上段部に密着すると共に該止着座金における該環状周縁の該曲線状先端縁が該管状笠木の該外周面に密着するように該支持桿先端の該止着螺子が該止着座金の該通孔を通じて該ブラインドナットの螺溝に締め付けられていることを特徴とする手摺笠木支持装置。
【請求項２】
前記支持桿の下部は建造物等に固着されたブラケットに接合されることを特徴とする請求項１記載の手摺笠木支持装置。
【請求項３】
管状笠木は硬質の内管層に比較的軟質の外管層が被覆され、ブラインドナットの装着時に該外管層の周面に沿う幅広板状の補強座金が重ねられて、該ブラインドナットの外側鍔が該補強座金を該外管層上に狭着するように且つ該補強座金の外弧面に沿って密着状に形成される状態で該ブラインドナットが装着され、手摺笠木支持用の支持桿にはその平面状上段部から止着螺子が立設され、該止着螺子が通過できる通孔をその平面底板に有する止着座金には該平面底板の周囲から該管状笠木に狭着された該補強座金の該外弧面に密着する曲線状先端縁を有すると共に該支持桿が取り付けられたときに該ブラインドナットの該外側鍔を非接触状態で内包する高さに形成された環状周縁が一体に形成され、該外側鍔を内包するように該止着座金が該管状笠木に配設され、該止着座金の該平面底板が該支持桿の該平面状上段部に密着すると共に該止着座金における該環状周縁の該曲線状先端縁が該管状笠木に狭着された該補強座金の該外弧面に密着するように該支持桿先端の該止着螺子が該止着座金の該通孔を通じて該ブラインドナットの螺溝に締め付けられていることを特徴とする手摺笠木支持装置。
【請求項４】
前記支持桿の下部は建造物等に固着されたブラケットに接合されることを特徴とする請求項３記載の手摺笠木支持装置。
【発明の詳細な説明】
【技術分野】
【０００１】
本発明は、手摺笠木を建造物等に支持させるための支持装置、特に管状をなす手摺笠木の支持装置に関する。
【背景技術】
【０００２】
手摺笠木は一般的に所定間隔で建造物等に固定して保持され、所定長の笠木部材ではその中間部においても建造物への支持具を設けて建造物に固定しなければならない場合が生じる。管材を笠木とする管状笠木の場合には、笠木部材と支持具との接合構造を可能な限り外部に現さないように、管状笠木の外側から、管状笠木内部に存在する螺孔付き中子部材に向かって支持具における螺子を締着して行われる手段が従来採用されているが、管状笠木内の所定位置に中子部材を位置させることは可成り熟練を要する技術とされる（例えば、特許文献１および特許文献２参照。）。
【０００３】
管の外面からの操作のみで管外面に沿ったあまり目立たない螺溝箇所を得ることができるブラインドナットを使用すれば、中子部材は不必要になるから支持装置を設ける作業は容易になるが、ブラインドナットに螺合されるボルトのみに管状笠木の全荷重を負担させることは、管径に対するブラインドナットの大きさ制限もあって、力学的に可成り無理を生じることがあり、ボルトが折損したり、笠木とボルトとの間がぐらついたりする虞がある。
【０００４】
【特許文献１】特開平１０−１８３９２４号公報
【特許文献２】登録実用新案第３０２０５７８号公報
【発明の開示】
【発明が解決しようとする課題】
【０００５】
本発明は、ブラインドナットを使用し、ブラインドナットの螺子部分に過大な応力を与えないで確実な笠木支持を行うことができる手摺笠木支持装置を提供すること、および硬質の内管層に比較的軟質の外管層が被覆された管状笠木が使用された場合において、ブラインドナットをより有効に利用して支持の強度を増加させた手摺笠木支持装置を提供することにある。
【課題を解決するための手段】
【０００６】
本発明では、装着されたブラインドナットの外側鍔を内包すると共にその周囲の管状笠木の外周面に密着する曲線状先端縁を有する環状周縁を備えた止着座金を使用し、手摺笠木支持用の支持桿における平面状上段部から延長する止着螺子をブラインドナットに締着すると、笠木に加えられた応力は、主として止着座金を通じて支持桿に伝達されることを第１の特徴とし、また管状笠木が硬質の内管層に比較的軟質の外管層がが被覆されている管状笠木を使用する場合には、ブラインドナットの装着の際に、外管層上に補強座金を挟み込んで狭着させることによって、補強座金により軟質の外管層を圧縮状態で一体的に装着し、支持桿への取付時に止着座金の環状周縁における曲線状先端縁が補強座金に圧着させて止着座金からの応力伝達をより有効に作用させるようにしたことを第２の特徴とするものである。
【発明の効果】
【０００７】
本発明は次のような効果を奏する。
Ａ．ブラインドナットの外側鍔は止着座金に接触していないために、管状笠木に伝えられる上方への応力は止着螺子の螺着で支持されることになるが、管状笠木に伝えられる下方への応力、軸方向の応力、曲げモーメントはすべて止着螺子の螺着と曲線状先端縁の圧接とに分散されて支持されるために止着螺子の応力負担は軽減され、止着螺子のみで接合する場合と比較して止着螺子の破損等を招く虞がなく、簡単な作業で螺孔が得られるブラインドナットを使用する手摺笠木支持装置としてきわめて有効である。
Ｂ．さらに、管状笠木が硬質の内管層に比較的軟質の外管層が被覆され、ブラインドナットの装着時に外管層の周面に沿う幅広板状の補強座金が重ねられて、ブラインドナットの外側鍔が補強座金を外管層上に狭着するように装着されるときには、幅広板状の補強座金によって比較的軟質である外管層の装着箇所における装着の圧縮力は分散され、同時に外管層は充分に圧縮されるので、ブラインドナットは確実に管状笠木に狭着固定され、また長年の使用による外管層のクリープに起因する固定したブラインドナット２の緩みを防止することができる。又止着座金の環状周縁における曲線状先端縁は、比較的軟質である外管層に直接当接するのではなく、補強座金の外弧面に密着状に当接されるから曲線状先端縁が外管層に食い込むようなことがなく、確実な接合によって良好な応力伝達が達成される。  
【発明を実施するための最良の形態】
【０００８】
本発明の手摺笠木支持装置は、管状笠木の外周面上に外側鍔が該外周面に沿って密着状に形成される状態でブラインドナットが装着され、手摺笠木支持用の支持桿にはその平面状上段部から止着螺子が立設され、該止着螺子が通過できる通孔をその平面底板に有する止着座金には該平面底板の周囲から該管状笠木の該外周面に密着する曲線状先端縁を有すると共に該支持桿が取り付けられたときに該ブラインドナットの該外側鍔を非接触状態で内包する高さに形成された環状周縁が一体に形成され、該外側鍔を内包するように該止着座金が該管状笠木に配設され、該止着座金の該平面底板が該支持桿の該平面状上段部に密着すると共に該止着座金における該環状周縁の該曲線状先端縁が該管状笠木の該外周面に密着するように該支持桿先端の該止着螺子が該止着座金の該通孔を通じて該ブラインドナットの螺溝に締め付けられていることを基本的な特徴とする。
【０００９】
また本発明の手摺笠木支持装置は、管状笠木は硬質の内管層に比較的軟質の外管層が被覆され、ブラインドナットの装着時に該外管層の周面に沿う幅広板状の補強座金が重ねられて、該ブラインドナットの外側鍔が該補強座金を該外管層上に狭着するように且つ該補強座金の外弧面に沿って密着状に形成される状態で該ブラインドナットが装着され、手摺笠木支持用の支持桿にはその平面状上段部から止着螺子が立設され、該止着螺子が通過できる通孔をその平面底板に有する止着座金には該平面底板の周囲から該管状笠木に狭着された該補強座金の該外弧面に密着する曲線状先端縁を有すると共に該支持桿が取り付けられたときに該ブラインドナットの該外側鍔を非接触状態で内包する高さに形成された環状周縁が一体に形成され、該外側鍔を内包するように該止着座金が該管状笠木に配設され、該止着座金の該平面底板が該支持桿の該平面状上段部に密着すると共に該止着座金における該環状周縁の該曲線状先端縁が該管状笠木に狭着された該補強座金の該外弧面に密着するように該支持桿先端の該止着螺子が該止着座金の該通孔を通じて該ブラインドナットの螺溝に締め付けられていることを特徴とする。
【実施例】
【００１０】
本発明の詳細な特徴について、添付図面に記載された実施例を参照して説明する。
図１には、管状笠木１におけるブラインドナット２の装着状態を示している。ステンレス鋼等の金属管より構成される管状笠木１において所定位置における管周に穿孔をする。そしてこの穿孔に内側鍔３が未だ形成されていないブラインドナット２を管表面側から差し込み、工具Ｔの螺子軸Ｓをブラインドナット２の螺溝４に螺合して螺子軸Ｓを回転すると、螺溝４の部分は引き上げられ、工具Ｔの下部に凹円弧面を有する固定した金型Ｍがブラインドナット２の外側鍔５に当接する。やがて工具Ｔの金型Ｍが外側鍔５を管状笠木１の外周面上に沿って密着状に変形させると共に、ブラインドナット２における螺溝４の上側部分は塑性変形によって放射状に拡開され内側鍔３が管状笠木１内壁に密着した状態で形成され、ブラインドナット２は内側鍔３と外側鍔５とによって管状笠木１に挟持固定される。
【００１１】
図２および図３において、符号６は手摺笠木支持用の支持桿であって、支持桿６の下部には建造物等に固着されたブラケットに接合するための固着螺孔７が形成されている。又支持桿６の上方には平面段部である平面状上段部８が設けられると共にさらに上方に向かって止着螺子９が立設されている。次に符号１０は止着座金であって、止着座金１０にはその平面底板１１に止着螺子９が通過できる通孔１２が穿設され、又平面底板１１の周囲から、管状笠木１の外周面に密着する曲線状先端縁１３を有すると共に支持桿６が取り付けられた時にブラインドナット２の外側鍔５を非接触状態で内包する高さに形成された環状周縁１４が一体に形成されている。
【００１２】
管状笠木１にブラインドナット２が装着されると、前述のようにその外側鍔５は管状笠木１の外周面に沿って密着状に形成されているから、管状笠木１に支持桿６を取り付けるには、この外側鍔５を内包するように且つ環状周縁１４の曲線状先端縁１３を管状笠木１の外周面に密着状に沿うように止着座金１０を配設して支持桿６の止着螺子９を通孔１２を通じてブラインドナット２の螺溝４に締め付けることによって行われる。曲線状先端縁１３を管状笠木１の外周面に密着状に沿わせる調整は、止着螺子９を螺溝４に螺入してからでも可能なことは言うまでもない。このようにして支持桿６が管状笠木１に取り付けられると、止着座金１０がブラインドナット２の外側鍔５に非接触状態で止着座金１０の環状周縁１４における曲線状先端縁１３が管状笠木１の外周面に密着状に当接され、止着座金１０の平面底板１１が支持桿６の平面状上段部８に密着するように圧着される。
【００１３】
このような接合によって、支持桿６の止着螺子９には引張応力が作用し、止着座金１０の曲線状先端縁１３には圧縮応力が作用する。したがって管状笠木１に伝えられる上方への応力は止着螺子９の螺着で支持されることになるが、管状笠木１に伝えられる下方への応力、軸方向の応力、曲げモーメントはすべて止着螺子１３の螺着と曲線状先端縁１の圧接とに分散されて支持されるために止着螺子９の応力負担は軽減され、止着螺子９のみで接合する場合と比較して止着螺子９の破損等を招く虞がなく、軽便な手段で螺孔が得られるブラインドナット２を使用する手摺笠木支持装置としてきわめて有効である。
【００１４】
図４乃至図６には、他の実施例が示されている。ここに示される管状笠木１は、例えば金属管のような硬質の内管層１ａの外側に例えば準硬質又は軟質合成樹脂のような比較的軟質の外管層１ｂが被覆されて構成されている。このような管状笠木１においてブラインドナット２を装着する場合には、所定位置に穿孔に内側鍔３が未だ形成されていないブラインドナット２を桿表面側から差し込む際に、外管層１ｂの周面に沿う幅広板状の補強座金１５を重ねた上でブラインドナット２を挿入する。そして図４に示されるように、ブラインドナット２の外側鍔５が、補強座金１５を外管層１ｂ上に狭着するように且つ補強座金１５の外弧面に沿って密着状に形成される状態でブラインドナット２が装着される。幅広板状の補強座金１５によって比較的軟質である外管層１ｂの装着箇所における装着の圧縮力は分散され、同時に外管層１ｂは充分に圧縮される。したがってブラインドナット２は塑性変形で放射状に拡開される内側鍔３と外側鍔５とによって確実に管状笠木１に狭着固定され、また長年の使用による外管層１ｂのクリープに起因する固定したブラインドナット２の緩みを防止することができる。
【００１５】
図５および図６において、前記した実施例と同様に、支持桿６の下部には建造物等に固着されたブラケットに接合するための固着螺孔７が形成されている。又支持桿６の上方には平面段部である平面状上段部８が設けられると共にさらに上方に向かって止着螺子９が立設されている。止着座金１０にはその平面底板１１に止着螺子９が通過できる通孔１２が穿設され、又平面底板１１の周囲から、管状笠木１の外周面に密着する曲線状先端縁１３を有すると共に支持桿６が取り付けられた時にブラインドナット２の外側鍔５を非接触状態で内包する高さに形成された環状周縁１４が一体に形成されている。
【００１６】
管状笠木１にブラインドナット２が装着されると、前述のようにその外側鍔５は補強座金１５を外管層１ｂ上に狭着すると共に補強座金１５の外弧面に沿って密着状に形成されているから、管状笠木１に支持桿６を取り付けるには、外側鍔５を内包するように且つ環状周縁１４の曲線状先端縁１３を補強座金１５の外弧面に密着状に沿うように止着座金１０を配設して支持桿６の止着螺子９を通孔１２を通じてブラインドナット２の螺溝４に締め付けることによって行われる。曲線状先端縁１３を補強座金１５の外弧面に密着状に沿わせる調整は、止着螺子９を螺溝４に螺入してからでも可能なことは言うまでもない。このようにして支持桿６が管状笠木１に取り付けられると、止着座金１０がブラインドナット２の外側鍔５に非接触状態で止着座金１０の環状周縁１４における曲線状先端縁１３が補強座金１５の外弧面に密着状に当接され、止着座金１０の平面底板１１が支持桿６の平面状上段部８に密着するように圧着される。
【００１７】
このような接合によって、支持桿６の止着螺子９には引張応力が作用し、止着座金１０の曲線状先端縁１３には圧縮応力が作用する。したがって管状笠木１に伝えられる上方への応力は止着螺子９の螺着で支持されることになるが、管状笠木１に伝えられる下方への応力、軸方向の応力、曲げモーメントはすべて止着螺子１３の螺着と曲線状先端縁１の圧接とに分散されて支持されるために止着螺子９の応力負担は軽減され、止着螺子９のみで接合する場合と比較して止着螺子９の破損等を招く虞がなく、軽便な手段で螺孔が得られるブラインドナット２を使用する手摺笠木支持装置としてきわめて有効である。又止着座金１０の環状周縁１４における曲線状先端縁１３は、比較的軟質である外管層１ｂに直接当接するのではなく、補強座金１５の外弧面に密着状に当接されるから曲線状先端縁１３が外管層１ｂに食い込むようなことがなく、確実な接合によって良好な応力伝達が達成される。
【図面の簡単な説明】
【００１８】
【図１】第１実施例におけるブラインドナットが装着された笠木の断面図である。
【図２】第１実施例における手摺笠木支持装置の断面図である。
【図３】第１実施例における手摺笠木支持装置の分解斜視図である。
【図４】第２実施例におけるブラインドナットが装着された笠木の断面図である。
【図５】第２実施例における手摺笠木支持装置の断面図である。
【図６】第２実施例における手摺笠木支持装置の分解斜視図である。
【符号の説明】
【００１９】
１  管状笠木
１ａ  内管層
１ｂ  外管層
２  ブラインドナット
４  螺溝
５  外側鍔
６  支持桿
８  平面状上段部
９  止着螺子
１０  止着座金
１１  平面底板
１２  通孔
１３  曲線状先端縁
１４  環状周縁
１５  補強座金
【図１】
2005076354.tif 000003
【図２】
2005076354.tif 000004
【図３】
2005076354.tif 000005
【図４】
2005076354.tif 000006
【図５】
2005076354.tif 000007
【図６】
2005076354.tif 000008